(57)【要約】【課題】異物の排水口への流入を低減することが可能な排水システムを提供すること。【解決手段】排水システム１は、金属蓋１０と、排水枡部２０と、サイフォンドレン部材３０と、を備える。排水枡部２０は、開口部２０ａと、底面５３ｂとを有する。開口部２０ａは、金属蓋１０が配置される。底面５３ｂは、開口部２０ａの下方に配置され、開口部２０ａから流れ込んだ水を止水する。サイフォンドレン部材３０は、蓋部材３１と、排水口３４ａとを有し、排水枡部２０に配置され、排水口３４ａに接続される配管９０によって排水される水にサイフォン現象の発生を誘発する。排水口３４ａは、蓋部材３１に対向して形成されている。排水口３４ａは、底面５３ｂよりも上方に配置されている。【選択図】図２
2020197030.tif 000002
【特許請求の範囲】
【請求項１】
金属蓋と、
前記金属蓋が配置される開口部と、前記開口部の下方に配置され、前記開口部から流れ込んだ水を止水する止水面と、を有する排水枡部と、
蓋部材と、前記蓋部材に対向して形成された排水口と、を有し、前記排水枡部の内側に配置され、前記排水口に接続される配管によって排水される水にサイフォン現象の発生を誘発する排水部材と、を備え、
前記排水口は、前記止水面よりも上方に配置されている、
排水システム。
【請求項２】
前記排水枡部は、前記開口部よりも面積が小さい絞り部を更に有し、
前記排水口は、前記絞り部と前記開口部の間に配置されている、
請求項１に記載の排水システム。
【請求項３】
前記排水枡部は、
前記絞り部を有する下枡と、
前記開口部を有し、前記下枡の上部に配置された上枡と、を有する、
請求項２に記載の排水システム。
【請求項４】
前記排水枡部は、前記止水面を形成する底面を有する、
請求項１または２に記載の排水システム。
【請求項５】
前記絞り部から前記止水面に向かって延びた筒状であり、
前記排水枡部は、前記絞り部の先端を覆う止水部材と、を有し、
前記止水部材が、前記止水面を形成する、
請求項２に記載の排水システム。
【請求項６】
前記排水枡部は、前記開口部に対して垂直な前記開口部から前記絞り部に向かって除々に面積が小さくなるように形成されている、
請求項２に記載の排水システム。
【請求項７】
前記止水面は、前記排水部材の前記排水口に接続される配管が貫通されている、
請求項１〜６のいずれか１項に記載の排水システム。
【請求項８】
前記排水部材は、前記配管への開口を有し、前記開口は前記排水口と繋がっており、
前記蓋部材は、鉛直方向の上方から見て、前記開口を塞ぐように配置され、鉛直方向に直交する面に対する前記蓋部材の投影面積が前記開口の投影面積より大きく設定されている、
請求項１〜７のいずれか１項に記載の排水システム。
【請求項９】
前記排水システムは、橋梁の側溝に設けられている、
請求項１〜８のいずれか１項に記載の排水システム。
【発明の詳細な説明】
【技術分野】
【０００１】
本発明は、排水システムに関する。
【背景技術】
【０００２】
従来、橋梁の側溝には、雨水を排水するために雨水枡が配置されている（例えば、特許文献１参照）。
【０００３】
特許文献１に示す雨水枡は、本体と、本体の上部に配置された上枡と、上枡に配置された金属蓋と、を備えており、本体の下端に排水管路が接続されている。金属蓋から流入する雨水は雨水枡を介して排水管路に流入する。
【先行技術文献】
【特許文献】
【０００４】
【特許文献１】特開２０１６−１５６２４３号公報
【発明の概要】
【発明が解決しようとする課題】
【０００５】
しかしながら、従来の構成による雨水排水では、雨水の排水とともに路面を移動する異物も排水管路に流れ込み、異物が管路内に滞留し詰まりが発生する場合があった。このため、定期的に配管内部の点検を実施し、詰まりが発生した場合には高圧洗浄を行う必要があるが、詰まり箇所が確認し難いなどの問題があった。
【０００６】
本発明は、異物の排水口への流入を低減することが可能な排水システムを提供することを目的とする。
【課題を解決するための手段】
【０００７】
上記目的を達成するために、第１の発明にかかる排水システムは、金属蓋と、排水枡部と、排水部材と、を備える。排水枡部は、開口部と、止水面とを有する。開口部は、金属蓋が配置される。止水面は、開口部の下方に配置され、開口部から流れ込んだ水を止水する。排水部材は、蓋部材と、排水口とを有し、排水枡部の内側に配置され、排水口に接続される配管によって排水される水にサイフォン現象の発生を誘発する。排水口は、蓋部材に対向して形成されている。排水口は、止水面よりも上方に配置されている。
【０００８】
これにより、排水口と止水面の間の空間に、異物を溜めることができるため、排水口への異物の流入を低減することができる。
【０００９】
また、サイフォン現象を発生させ、小口径で高流量の排水を実現することができる。このため、従来よりも小口径の配管を用いることができ、重量が軽くなり作業効率が向上するとともに、材料が少なくて済むためコストも低減することができる。
【００１０】
第２の発明にかかる排水システムは、第１の発明にかかる排水システムであって、排水枡部は、開口部の下方に配置され、開口部よりも面積が小さい絞り部を更に有する。排水口は、絞り部と開口部の間に配置されている。
【００１１】
これにより、雨水とともに開口部から絞り部に流れ込んだ異物は、絞り部の空間に溜まるため、排水口への異物の流入を低減することができる。
【００１２】
第３の発明にかかる排水システムは、第１または第２の発明にかかる排水システムであって、排水部材は、下枡と、上枡とを有する。下枡は、絞り部を有する。上枡は、開口部を有し、下枡の上部に配置されている。
【００１３】
これにより、排水枡部を少なくとも上枡と下枡の２つの部材によって形成することができる。また、上枡と下枡の素材を変えることができ、例えば上枡を金属製とし、下枡をＦＲＰ（Fiber Reinforced Plastics）とすることができる。
【００１４】
第４の発明にかかる排水システムは、第１または第２の発明にかかる排水システムであって、排水枡部は、止水面を形成する底面を有する。
これによって、排水枡部の底面で雨水の止水を行うことができる。
【００１５】
第５の発明にかかる排水システムは、第２の発明にかかる排水システムであって、排水枡部は、止水部材を有する。絞り部は、止水面に向かって延びた筒状である。止水部材は、絞り部の先端を覆う。止水部材が、止水面を形成する。
このような止水部材によって止水面を形成し、雨水の止水を行うことができる。
【００１６】
第６の発明にかかる排水システムは、第２の発明にかかる排水システムであって、排水枡部は、開口部に対して垂直な面積が開口部から絞り部に向かって除々に小さくなるように形成されている。
これにより、開口部に流れ込んだ雨水を絞り部に勢い良く流れ込ますことができる。
【００１７】
第７の発明にかかる排水システムは、第１〜６のいずれかの発明にかかる排水システムであって、止水面は、排水部材の排水口に接続される配管が貫通されている。
これにより、配管の周囲が異物を溜める空間として用いられる。
【００１８】
第８の発明にかかる排水システムは、第１〜７のいずれかの発明にかかる排水システムであって、排水部材は、配管への開口を有し、開口は排水口と繋がっている。蓋部材は、鉛直方向の上方から見て、開口を塞ぐように配置され、鉛直方向に直交する面に対する蓋部材の投影面積が開口の投影面積より大きく設定されている。
【００１９】
これにより、排水部材が斜めに配置された場合でも、サイフォン現象を発生させることができる。
【００２０】
第９の発明にかかる排水システムは、第１〜８のいずれかの発明にかかる排水システムであって、橋梁の側溝に設けられている。
【００２１】
これにより、橋梁に降った雨水の排水を効率よく行うことができる。
【発明の効果】
【００２２】
本発明によれば、物の排水口への流入を低減することが可能な排水システムを提供することができる。
【図面の簡単な説明】
【００２３】
【図１】本発明にかかる実施の形態の排水システムを橋梁に設置した状態を示す図。
【図２】本発明にかかる実施の形態の排水システムの構成を示す模式断面図。
【図３】図２の金属蓋と排水枡部２０を示す分解斜視図。
【図４】図２のサイフォンドレン部材を示す斜視図。
【図５】図２のサイフォンドレン部材を示す斜視断面図。
【図６】図５の正面図。
【図７】本実施例の排水システムの構成を示す図。
【図８】本実施例の排水システムの配管接続構造の一例を示す図。
【図９】（ａ）図８の配管接続構造の分解図、（ｂ）図９（ａ）のキャップを底面側から視た斜視図。
【図１０】比較例の排水システムの構成を示す図である。
【図１１】実施例１、２および比較例１〜３の結果の表を示す図。
【図１２】本発明にかかる実施の形態の変形例における排水システムの構成をしめす断面模式図。
【発明を実施するための形態】
【００２４】
以下に、本発明の実施の形態に係る排水システムについて図面に基づいて説明する。
＜構成＞
（排水システム１の概要）
図１は、本発明にかかる実施の形態の排水システム１を橋梁に設置した状態を示す図である。図に示すように、本実施の形態の排水システム１は、橋梁２００の側溝に沿って複数配置されている。橋梁２００に降った雨水が排水システム１に流れ込み、橋梁２００外に排水される。
【００２５】
図２は、本実施の形態の排水システム１の構成を示す模式断面図である。
図２に示すように、本実施の形態の排水システム１は、金属蓋１０と、排水枡部２０と、サイフォンドレン部材３０と、を備える。
【００２６】
（金属蓋）
図３は、金属蓋１０と排水枡部２０の分解斜視図である。
【００２７】
金属蓋１０は、金属製の複数の孔を有する蓋である。複数の孔は雨の流入を妨げなければどのような形状でも良く、例えば、グレーチングのように網目状に形成されていても良いし、長方形の孔が複数開けられていても良い。金属蓋１０は、排水枡部２０に支持されており、金属蓋１０から雨水が排水枡部２０に流れ込む。金属蓋１０は、本実施の形態では一例として四角形状であるが、これに限らず四角以外の多角形、丸、または楕円であってもよい。
【００２８】
（排水枡部）
排水枡部２０は、上枡２１と、下枡２２と、高さ調整部２３と、を有している。上枡２１は、金属製であり、金属蓋１０の周囲に配置される枠体である。上枡２１の内側が排水枡部２０の開口部２０ａに対応し、金属蓋１０が配置される。
【００２９】
上枡２１は、側壁４１と、蓋載置部４２と、を有する。側壁４１は、金属蓋１０の周囲を囲むように形成されている。蓋載置部４２は、側壁４１の下端から内側に向かって側壁４１に対して概ね垂直に形成されている。蓋載置部４２に金属蓋１０が載置される。
【００３０】
下枡２２は、例えばＦＲＰ製であり、側壁５１と、上枡支持部５２と、絞り部５３と、接続部５４と、型枠管５５と、を有する。
【００３１】
側壁５１は、上枡２１の周囲を囲むように形成されている。上枡支持部５２は、側壁５１の下端から内側に向かって側壁５１に対して概ね垂直に形成されている。上枡支持部５２に、上枡２１が支持される。上枡支持部５２と蓋載置部４２には、下枡２２に対する上枡２１の高さ位置を調整する高さ調整部２３が設けられている。
【００３２】
絞り部５３は、外観が円柱形状であり、上枡支持部５２の下方に設けられている。絞り部５３は、筒状部５３ａと、底面５３ｂを有する。筒状部５３ａの上端である絞り上部５３ｃは後述する接続部５４によって上枡支持部５２と接続されている。底面５３ｂは、筒状部５３ａの先端である下端を塞ぐように配置されている。
【００３３】
また、絞り部５３は、図２に示すように左右方向において開口部２０ａの中央よりも左右の一方よりに配置されている。底面５３ｂには、貫通孔５３ｄが形成されており、貫通孔５３ｄに挿通された配管９０が設けられている。
【００３４】
本実施の形態の排水システム１に用いられる配管（配管９０を含む）としては、例えば口径が７５Ａ〜１２５Ａのものを用いることができる。配管９０は、底面５３ｂに対して概ね垂直に配置されており、その上端が排水枡部２０の内側に位置している。底面５３ｂが、排水枡部２０から下方への雨水の漏洩を止水する止水面として機能する。また、底面５３ｂは、絞り部５３の下端である絞り下部に相当する。なお、底面５３ｂと配管９０の間を止水剤等で埋めてもよいし、後述する実施例のようにキャップ形状の部材を用いてもよい。
【００３５】
接続部５４は、上枡支持部５２と絞り部５３とを接続する。接続部５４は、上枡支持部５２の内側の端から絞り部５３の筒状部５３ａの上端までを接続する。接続部５４は、開口部２０ａに対して垂直な方向の断面積が上枡支持部５２から絞り部５３に向かって除々に小さくなるように形成されている。
【００３６】
型枠管５５は、筒状であり、絞り部５３の筒状部５３ａの周囲に配置されている。型枠管５５は、コンクリート２０１から絞り部５３などを保護する。
【００３７】
高さ調整部２３は、下枡２２に対する上枡２１の高さ位置を調整する。高さ調整部２３は、ボルト６１と、ナット６２と、を有する。ボルト６１は、上枡支持部５２に形成された貫通孔に挿入されている。ボルト６１は、上枡支持部５２に対して略垂直に配置されている。ボルト６１のヘッド６１ａが、上枡２１の蓋載置部４２に下方から当接している。ナット６２は、貫通孔と同軸になるように上枡支持部５２に固定されている。ナット６２には、ボルト６１が挿通されている。ボルト６１のナット６２への捻じ込み量を変更することによって、上枡２１の下枡２２に対する高さを変更することができる。高さ調整部２３は、上枡支持部５２の対向する長辺と対向する短辺の全てに設けられていてもよいし、どちらか一方のみに設けられていてもよい。
【００３８】
ここで、図２に示すように、下枡２２の上端までコンクリート２０１が設けられ、コンクリート２０１の上部に舗装２０２が設けられている。舗装２０２の上端と、上枡２１の上端の位置は概ね一致している。舗装２０２の厚さにあわせるように、高さ調整部２３によって下枡２２に対する上枡２１の位置を調整することができる。
【００３９】
（サイフォンドレン部材）
サイフォンドレン部材３０（排水部材の一例）は、接続されている配管９０に排水される水にサイフォン現象の発生を誘発する。サイフォンドレン部材３０は、排水枡部２０に流入した雨水の排水能力を向上させるための高排水機能を有する排水部材である。
【００４０】
図４は、サイフォンドレン部材３０を示す斜視図である。図５は、サイフォンドレン部材３０の斜視断面図である。図６は、図５の正面図である。
【００４１】
サイフォンドレン部材３０は、硬質塩化ビニル樹脂やポリカーボネート、ＡＢＳ、ＡＥＳ等の合成樹脂を用いて射出成形によって作成することができる。なお、合成樹脂に限るものではなく、鋳型を用いた鋳鉄製であってもよい。
【００４２】
サイフォンドレン部材３０は、蓋部材３１と、装着筒３２と、複数の縦リブ３３と、を有する。
【００４３】
蓋部材３１は、板状であり、円盤状に形成されている。装着筒３２は筒状に形成されている。蓋部材３１と装着筒３２の各々の中心軸は、共通軸上に配置され、鉛直方向に一致している。この共通軸をドレン軸Ｏとし、ドレン軸Ｏ方向に沿うサイフォンドレン部材３０の装着筒３２を下側とし、蓋部材３１側を上側とする。また、サイフォンドレン部材３０をドレン軸Ｏ方向から視た平面視においてドレン軸Ｏに直交する方向を径方向とし、ドレン軸Ｏ周りに周回する方向を周方向とする。
【００４４】
装着筒３２は、落し口部３４を形成する筒部７１と、筒部７１の上端から径方向の外側に延びる板状の鍔部７２と、を有する。筒部７１と鍔部７２が連設される内面側の接続部分３２ａは、テーパー面或いは曲面に形成されたベルマウス形状に形成されている。接続部分３２ａが曲面である場合、ドレン軸Ｏと平行な方向の断面の曲率半径は５ｍｍ〜２０ｍｍであるほうが好ましい。
【００４５】
落し口部３４は、雨水を排水する部分であり、落し口部３４の上端の開口（筒部７１の上端の内側ともいえる）を排水口３４ａとする。排水口３４ａは、鍔部７２の内側ともいえる。排水口３４ａから蓋部材３１までの距離は、鍔部７２から蓋部材３１までの距離と概ね同じである。ドレン軸Ｏに沿った方向において排水口３４ａと鍔部７２の位置が概ね一致する。
【００４６】
落し口部３４の開口３４ｂは、排水口３４ａよりも下側であって、径が一定の部分を示し、開口３４ｂの開口径がＲ１（図６参照）として示されている。また、開口径がＲ１の開口３４ｂの面積を、落し口部３４の開口面積とする。なお、開口径Ｒ１は筒部７１の内径に相当し、落し口部３４の開口面積は、筒部７１の内径を直径とする面積に相当する。また、接続部分３２ａによって、開口３４ｂから排水口３４ａに向かって除々に径が大きくなっている。
【００４７】
また、本実施の形態では。サイフォンドレン部材３０の中心軸であるドレン軸Ｏが鉛直方向に一致しているため、蓋部材３１の面積と落し口部３４の開口面積は、それぞれ鉛直方向に直交する面に対する蓋部材３１の投影面積および落し口部３４の開口の投影面積に相当する。なお、本実施の形態では、蓋部材３１の外径寸法と鍔部７２の外径寸法は略同一に形成されている。
【００４８】
サイフォンドレン部材３０は、例えば、筒部７１を配管９０の内側に上方から差し込むことによって配置される。
【００４９】
図４および図５に示すように、蓋部材３１の外周縁３１ａと、鍔部７２の外周縁７２ａの間に形成される部分が、雨水が落し口部３４の排水口３４ａに流入する流入開口３０ａとなる（図５の矢印Ｂ参照）。流入開口３０ａの面積は、落し口部３４の開口３４ｂの開口面積（径Ｒ１の部分）よりも大きい面積となるよう、蓋部材３１の大きさや高さ形状が調整される。
【００５０】
複数の縦リブ３３は、図５に示すように、装着筒３２の鍔部７２の上面７２ｄと、蓋部材３１の下面３１ｃの外周部とを連結している。蓋部材３１は、複数の縦リブ３３によって下方から支持され、図６に示すように、装着筒３２から所定高さＨ１を確保した位置で支持されている。複数の縦リブ３３は、流入開口３０ａに設けられ、平面視において径方向に沿って形成され、周方向に対して交差して形成されている。縦リブ３３は、流入開口３０ａから落し口部３４に流入する雨水を整流する機能を有している。本実施の形態では、縦リブ３３は、６つ形成されており、６つの縦リブ３３は、ドレン軸Ｏを中心として等間隔の角度（約６０度間隔）で設けられているが、これに限られるものではない。
【００５１】
蓋部材３１は、鉛直方向の上方から視て落し口部３４の開口３４ｂを塞ぐように配置されている。また、蓋部材３１の面積は落し口部３４の開口３４ｂの開口面積（径Ｒ１の部分）より大きく設定されている。なお、本実施の形態では蓋部材３１の中心と落し口部３４の開口の中心が鉛直方向に一致しているが、蓋部材３１と落し口部３４がともに傾いて斜めに配置されている場合には、蓋部材３１の蓋面積が落し口部３４の開口面積と同じ面積とすると、鉛直方向から視て落し口部３４の開口３４ｂを塞ぐことができず、蓋部材３１と落し口部３４の間に空気が入る隙間（渦流による空気芯）が生じることになる。
【００５２】
そのため、鉛直方向に直交する面に対する蓋部材３１の投影面積が落し口部３４の開口３４ｂの投影面積より大きく設定されているほうが好ましい。
【００５３】
蓋部材３１の蓋直径Ｒ２または最小幅寸法は、落し口部３４の開口径Ｒ１（開口３４ｂの径Ｒ１）より大きく、かつ開口径Ｒ１の２４５％以下である。さらに、蓋部材３１の鍔部７２の外周縁７２ａからの高さをＨ１、開口径をＲ１とした場合に、Ｒ１／Ｈ１の値が１．３〜８．０の範囲を満たし、Ｈ１が１０〜６０ｍｍの範囲を満たし、開口面積は３０ｃｍ２以上１９０ｃｍ２以下であるほうが好ましい。
【００５４】
なお、蓋部材３１の上面３１ｂには、上方に突出し、周方向に間隔を空けて配置された把持リブ３５が設けられている。把持リブ３５は、サイフォンドレン部材３０を配管９０に接続する際に作業者によって把持される。
【００５５】
（サイフォンドレン部材の排水枡部における位置）
次に、サイフォンドレン部材３０の排水枡部２０の内側における位置について述べる。
【００５６】
本実施の形態では、図２に示すように、サイフォンドレン部材３０の排水口３４ａが底面５３ｂよりも高い位置に配置されている。
【００５７】
これにより、図２に示すように、鍔部７２から底面５３ｂまでの間に空間Ｓが形成される。この空間Ｓ（図２のドット部分参照）がゴミ溜め部として機能し、雨水とともに流れ込む異物が空間Ｓに溜められる。
【００５８】
また、本実施の形態では排水口３４ａが絞り部５３の上端である絞り上部５３ｃ（位置Ｐ１で示す）よりも上方に位置するようにサイフォンドレン部材３０が配置されている。これにより、絞り部５３の全体をゴミ溜め部として機能させることができる。更に、絞り部５３のような狭い箇所に手を挿入して把持リブ３５を把持する必要がなく、サイフォンドレン部材３０と配管９０の接続を行いやすくなる。
【００５９】
＜作用＞
橋梁２００に降った雨水は、図２に示すように金属蓋１０から接続部５４に沿って絞り部５３に流れ込む（矢印Ａ参照）。雨水とともに流れ込む異物は空間Ｓに溜められ、水位が鍔部７２を超えると、超えた分の雨水が排水口３４ａに流れ込み、配管９０から排水される。このとき、サイフォンドレン部材３０によってサイフォン現象が誘発され、細い配管であっても効率よく雨水を排水することができる。
【００６０】
また、空間Ｓにたまったゴミを定期的に取り除くことによって、高圧洗浄の頻度を少なくすることができ、点検・清掃にかかるコストを低減することができる。
【００６１】
（実施例）
次に、実施例を用いて本実施の形態の排水システムについて説明を行う。
【００６２】
図７は、本実施例の排水システム１の構成を説明するための図である。図８は、本実施例の排水システム１の配管接続構造８０の一例を示す図である。図９（ａ）は、図８の配管接続構造８０の分解図である。図１０は、比較例の排水システム１０００の構成を示す図である。比較例の排水システム１０００は、実施例の排水システム１と比較してサイフォンドレン部材３０が設けられていない点および排水口の位置が後述する底面８３ａと同じ位置である点が異なっており、その他の構成は実施例と同じである。
【００６３】
本実施例では、下枡２２´を用いており金属蓋１０および上枡２１は配置されていない。また、図７に示すように下枡２２´の絞り部５３´は、上記実施の形態の絞り部５３と異なり底面５３ｂが設けられておらず筒状部５３ａ´のみが設けられている。
【００６４】
図７に示すように、配管９０の下端にエルボ継手９１が接続されており、エルボ継手９１には配管９２が接続されている。配管９２は無勾配でありエルボ継手９１から水平方向に伸びている。配管９２の他端には、エルボ継手９３が接続されており、エルボ継手９３には配管９４が接続されている。配管９４は、エルボ継手９３から下方に向かって伸びている。配管９４の下端には、エルボ継手９５が配置されており、エルボ継手９５には配管９６が接続されている。配管９６は、エルボ継手９５から無勾配であり水平方向に伸びている。配管９６の他端にはエルボ継手９７が接続されており、エルボ継手９７の他端は、下方に向いており、排水枡へと接続されている。
【００６５】
また、下枡２２´の長辺の長さは５００ｍｍに設定され、配管９０の長さは５００ｍｍに設定され、配管９２の長さは５０００ｍｍに設定され、配管９４の長さは５０００ｍｍに設定され、配管９６の長さは１５００ｍｍに設定されている。
【００６６】
本実施例の配管接続構造８０は、図８および図９（ａ）に示すようにソケット８１と、管８２と、キャップ８３と、ソケット８４と、管８５と、を有する。ソケット８１は、塩化ビニル管の継手であり、上方からサイフォンドレン部材３０の筒部７１が差し込まれる。管８２は、塩化ビニル管であり、ソケット８１の下方から差し込まれる。この管８２の長さを調整することにより、サイフォンドレン部材３０の高さ位置を変更することができる。
【００６７】
キャップ８３は、塩化ビニル管の継手である。図９（ｂ）は、キャップ８３を底面側から視た斜視図である。キャップ８３は、絞り部５３´の筒状部５３ａ´の下端がキャップ８３の内側に挿入されるように配置される。キャップ８３には、図に示すように底面８３ａの中央に管８２の外径＋１ｍｍの穴８３ｂが形成されている。穴８３ｂには、管８２が挿通される。なお、本実施例では、キャップ８３の底面８３ａが、図２の絞り部５３の底面５３ｂに対応し、止水面を形成する。また、穴８３ｂが図２の貫通孔５３ｄに対応する。
【００６８】
ソケット８４は、塩化ビニル管の継手であり、管８２と管８５を接続する。ソケット８４は、位置決めとキャップ８３の支えとして配置されている。管８５は、塩化ビニル管であり、ソケット８４に下方から挿入されている。ソケット８１と管８２とソケット８４と管８５によって、上述した配管９０が構成される。また、キャップ８３は、下枡２２´とともに排水枡部に含まれる。
【００６９】
管８５は、図８に示すように、Ｕバンド８７とアングル８６によって、抜けないように固定されている。また、キャップ８３の上端と絞り部５３´の間は、シリコンシーラント（積水化学社製）８８が全周にわたって塗布されてシールされている。さらに、ソケット８４とキャップ８３の間は、シリコンシーラント（積水化学社製）８９が全周にわたって塗布されてシールされている。
【００７０】
また、図８に示すように、キャップ８３の底面８３ａからサイフォンドレン部材３０の排水口３４ａまでの高さＨ２とする。Ｈ２の高さは、上述した管８２の長さを変更することによって変えることができる。
【００７１】
実施例１、２および比較例１〜３では、配管９０の管８２および管８５と配管９２、９４、９６のサイズ、サイフォンドレン部材３０の有無、および排水口３４ａの絞り上部５３ｃからの位置を変更し、それぞれの構成において、サイフォン現象の発生の有無、土砂５０ｇを下枡２２´内に投入した際に排出した量、および排水流量を測定した。
【００７２】
実施例１では、配管９０の管８２および管８５と配管９２、９４、９６のサイズを７５Ａとし、サイフォンドレン部材３０の排水口３４ａから蓋部材３１までの高さＨ１が５０ｍｍに設定され、Ｈ２が１４５ｍｍに設定された。このとき、サイフォン現象は発生し、排水流量は２０Ｌ／ｓであり、エルボ継手９７からの異物の排出は認められなかった。
【００７３】
実施例２では、配管９０の管８２および管８５と配管９２、９４、９６のサイズを１００Ａとし、高さＨ１が５０ｍｍに設定され、高さＨ２が１５５ｍｍに設定された。このとき、サイフォン現象は発生し、排水流量は３０Ｌ／ｓであり、エルボ継手９７からの異物の排出は認められなかった。
【００７４】
比較例１では、配管９０の管８２および管８５と配管９２、９４、９６のサイズを７５Ａとし、排水口の位置（ソケット８１の上端８１ａの位置）を絞り部５３´の底面８３ａと一致させた。このとき、渦流が発生しサイフォン現象が発生せず、排水流量は１３Ｌ／ｓであり、エルボ継手９７からの異物の排出が認められ、異物の量は３０ｇであった。
【００７５】
比較例２では、配管９０の管８２および管８５と配管９２、９４、９６のサイズを１００Ａとし、排水口の位置（ソケット８１の上端位置）を絞り部５３´の底面８３ａと一致させた。このとき、渦流が発生しサイフォン現象が発生せず、排水流量は１８Ｌ／ｓであり、エルボ継手９７からの異物の排出が認められ、異物の量は３５ｇであった。
【００７６】
比較例３では、配管９０の管８２および管８５と配管９２、９４、９６のサイズを２００Ａとし、排水口の位置（ソケット８１の上端位置）を絞り部５３´の底面８３ａと一致させた。このとき、渦流が発生しサイフォン現象が発生せず、排水流量は３０Ｌ／ｓであり、エルボ継手９７からの異物の排出が認められ、異物の量は２８ｇであった。
【００７７】
以上より、サイフォンドレン部材３０を配置することによってサイフォン現象を発生させることができる。また、底面８３ａとは排水口３４ａの間に空間Ｓを設けることにより、異物の配管９０への異物の流入を抑制することができる。
【００７８】
また、サイフォン現象を発生させることにより、配管径が小さい場合であっても高排水流量を実現することができる。
【００７９】
（特徴等）
（１）
本実施の形態の排水システム１は、金属蓋１０と、排水枡部２０と、サイフォンドレン部材３０（排水部材の一例）と、を備える。排水枡部２０は、開口部２０ａと、底面５３ｂ（止水面の一例）とを有する。開口部２０ａは、金属蓋１０が配置される。底面５３ｂは、開口部２０ａの下方に配置され、開口部２０ａから流れ込んだ水を止水する。サイフォンドレン部材３０（排水部材の一例）は、蓋部材３１と、排水口３４ａとを有し、排水枡部２０の内側に配置され、排水口３４ａに接続される配管９０によって排水される水にサイフォン現象の発生を誘発する。排水口３４ａは、蓋部材３１に対向して形成されている。排水口３４ａは、底面５３ｂよりも上方に配置されている。
【００８０】
これにより、排水口３４ａと底面５３ｂの間の空間Ｓに、異物を溜めることができるため、排水口３４ａへの異物の流入を低減することができる。
【００８１】
また、サイフォン現象を発生させ、小口径で高流量の排水を実現することができる。このため、従来よりも小口径の配管を用いることができるため、重量が軽くなり作業効率が向上するとともに、材料が少なくて済むためコストも低減することができる。
【００８２】
（２）
本実施の形態の排水システム１では、排水枡部２０は、開口部２０ａの下方に配置され、開口部２０ａよりも面積が小さい絞り部５３、５３´を更に有する。排水口３４ａは、絞り部５３と開口部２０ａの間に配置されている。
【００８３】
これにより、雨水とともに開口部２０ａから絞り部５３に流れ込んだ異物は、絞り部５３を含む空間Ｓに溜まるため、排水口３４ａへの異物の流入を低減することができる。
【００８４】
（３）
本実施の形態の排水システム１では、排水枡部２０は、下枡２２と、上枡２１とを有する。下枡２２は、絞り部５３を有する。上枡２１は、開口部２０ａを有し、下枡２２の上部に配置されている。
【００８５】
これにより、排水枡部２０を少なくとも上枡２１と下枡２２の２つの部材によって形成することができる。また、上枡２１と下枡２２の素材を変えることができ、例えば上枡２１を金属製とし、下枡２２をＦＲＰ（Fiber Reinforced Plastics）とすることができる。
【００８６】
（４）
本実施の形態の排水システム１では、排水枡部２０は、止水面を形成する底面５３ｂを有する。
これによって、排水枡部２０の底面５３ｂで雨水の止水を行うことができる。
【００８７】
（５）
本実施の形態の排水システム１では、排水枡部２０は、キャップ８３（止水部材の一例）を有する。絞り部５３´は、止水面に向かって延びた筒状である。キャップ８３は、絞り部５３´の先端を覆う。キャップ８３が、止水面を形成する。
このようなキャップ８３によって止水面を形成し、雨水の止水を行うことができる。
【００８８】
（６）
本実施の形態の排水システム１では、排水枡部２０は、開口部２０ａに対して垂直な面積が開口部２０ａから絞り部５３、５３´に向かって除々に面積が小さくなるように形成されている。
【００８９】
これにより、開口部２０ａに流れ込んだ雨水を絞り部５３に勢い良く流れ込ますことができる。
【００９０】
（７）
本実施の形態の排水システム１では、底面５３ｂまたは底面８３ａ（止水面の一例）は、サイフォンドレン部材３０の排水口３４ａに接続される配管９０が貫通されている。
これにより、配管９０の周囲が異物を溜める空間Ｓとして用いられる。
【００９１】
（８）
本実施の形態の排水システム１では、サイフォンドレン部材３０は、配管９０への開口３４ｂを有し、開口３４ｂは排水口３４ａと繋がっている。蓋部材３１は、鉛直方向の上方から見て、開口３４ｂを塞ぐように配置され、鉛直方向に直交する面に対する蓋部材３１の投影面積が開口３４ｂの投影面積より大きく設定されている。
【００９２】
これにより、サイフォンドレン部材３０が斜めに配置された場合でも、サイフォン現象を発生させることができる。
【００９３】
（９）
本実施の形態の排水システム１では、橋梁２００の側溝に設けられている。
【００９４】
これにより、橋梁２００に降った雨水の排水を効率よく行うことができる。また、橋梁２００は高さが高いため、サイフォン現象を発生させやすく、サイフォンドレン部材３０を用いることに適している。
【００９５】
［他の実施形態］
以上、本発明の一実施形態について説明したが、本発明は上記実施形態に限定されるものではなく、発明の要旨を逸脱しない範囲で種々の変更が可能である。
【００９６】
（Ａ）
上記実施の形態では、排水枡部２０では、上枡２１と下枡２２に分けられているが上枡２１と下枡２２が一体的に構成されていてもよい。この場合、高さ調整部２３が設けられていなくてもよい。例えば、図２の下枡２２に直接金属蓋１０が配置されるような構成であってもよい。
【００９７】
（Ｂ）
上記実施の形態では、下枡２２に絞り部５３が設けられているが、絞り部５３が設けられていなくてもよい。図１２は、絞り部５３が形成されていない下枡１２２を備えた排水枡部１２０が用いられた排水システム１０１を示す図である。下枡１２２の底面１２２ａは開口部２０ａよりも面積が小さく形成されている。排水口３４ａは、底面１２２ａよりも上方に配置されており、底面１２２ａと排水口３４ａの間の下枡１２２内の空間Ｓ´がゴミ溜め部となる。
【００９８】
なお、サイフォンドレン部材３０は排水枡部２０、１２０の内側に配置されているが、サイフォンドレン部材３０の一部が排水枡部２０、１２０から突出していてもよい。図１２を用いて具体的に説明すると、図１２ではサイフォンドレン部材３０の筒部７１は、排水枡部１２０の底面１２２ａの外側表面と概ね一致しているが、筒部７１が排水枡部１２０の外表面から突出していてもよい。
【００９９】
（Ｃ）
上記実施の形態では、上枡２１が金属製であり、下枡２２がＦＲＰ製であると述べたが、これに限られるものではない。上枡２１がＦＲＰ製であってもよいし、下枡２２が金属製であってもよい。
【０１００】
（Ｄ）
上記実施の形態では、筒部７１を配管９０に差し込むと説明し、実施例では、ソケット８１にサイフォンドレン部材３０が差し込まれているが、これに限らなくても良い。例えば、筒部７１の外周に雄ネジが形成され、配管９０の上端の部材（例えば、ソケット８１）の内側に雌ネジが形成され、雄ネジと雌ネジの螺合によって筒部７１と配管９０が接続されてもよい。また、接着剤等によって、筒部７１と配管９０が接続されてもよい。
【０１０１】
（Ｅ）
上記実施の形態では、絞り部５３は、図２に示すように左右方向において開口部２０ａの中央よりも左右の一方よりに配置されているが、これに限らなくても良い。例えば、開口部２０ａは中央に配置されてもよい。
【産業上の利用可能性】
【０１０２】
本発明の排水システムは、異物の排水口への流入を低減することが可能な効果を有し、橋梁等に配置される雨水の排水システムとして有用である。
【符号の説明】
【０１０３】
１        ：排水システム
１０      ：金属蓋
２０      ：排水枡部
２０ａ    ：開口部
３０      ：サイフォンドレン部材   
３４ａ    ：排水口
５３ｂ    ：底面
【図１】
2020197030.tif 000003
【図２】
2020197030.tif 000004
【図３】
2020197030.tif 000005
【図４】
2020197030.tif 000006
【図５】
2020197030.tif 000007
【図６】
2020197030.tif 000008
【図７】
2020197030.tif 000009
【図８】
2020197030.tif 000010
【図９】
2020197030.tif 000011
【図１０】
2020197030.tif 000012
【図１１】
2020197030.tif 000013
【図１２】
2020197030.tif 000014